(57)【要約】【課題】微粒化水量を増加できる水微粒化装置とそれを用いた加湿装置を提供する。【解決手段】回転力を生じさせる駆動手段２と、水を貯留する貯水部３を備え、回転により水を微粒化する水微粒化板９と、回転により貯水部３から揚水する揚水管１０を有する水微粒化装置であって、貯水部３において、揚水管１０の回転によって回転の中心部に生じる水位の低下を抑制するための水位低下抑制手段１２を備えたことにより、回転数の上昇によって起こる中心部の水位の低下を抑制できるので、揚水量を増加して微粒化できる水の量を増加して加湿能力を向上させることができる。【選択図】図１
2009264641.tif 000002
【特許請求の範囲】
【請求項１】
回転力を生じさせる駆動手段と、水を貯留する貯水部を備え、回転により水を微粒化する水微粒化部と、回転により前記貯水部より揚水する揚水部を備える水微粒化装置であって、前記貯水部において、前記揚水部の回転によって回転の中心部に生じる水位の低下を抑制するための水位低下抑制手段を備えたことを特徴とする水微粒化装置。
【請求項２】
水位低下抑制手段は、揚水部の回転により生じる水の流れに対する抵抗作用を有することを特徴とする請求項１記載の水微粒化装置。
【請求項３】
水位低下抑制手段は、揚水部の回転により生じる回転中心軸から遠心方向に向かう水の流れに対する抵抗作用を有した抵抗部材を備えることを特徴とする請求項２記載の水微粒化装置。
【請求項４】
水位低下抑制手段は、揚水部の回転により生じる回転方向の流れに対する抵抗作用を有した抵抗部材を備えることを特徴とする請求項２記載の水微粒化装置。
【請求項５】
水位低下抑制手段は、揚水部の回転により貯水部に生じる回転軸方向の流れに対する抵抗作用を有した抵抗部材を備えることを特徴とする請求項２記載の水微粒化装置。
【請求項６】
抵抗部材の少なくとも一部を平板状に形成したことを特徴とする請求項３から５のいずれか１項に記載の水微粒化装置。
【請求項７】
水位低下抑制手段は、少なくとも１つ以上の抵抗部材を、揚水部の外側に、前記揚水部を中心として環状に並べて配してなることを特徴とする請求項３または４に記載の水微粒化装置。
【請求項８】
水位低下抑制手段は、環状に形成した抵抗部材を、揚水部を内包するように配してなることを特徴とする請求項３または４記載の水微粒化装置。
【請求項９】
抵抗部材は、網目状のシート部材からなることを特徴とする請求項７または８に記載の水微粒化装置。
【請求項１０】
抵抗部材は、三次元立体構造を有する部材からなることを特徴とする請求項７または８に記載の水微粒化装置。
【請求項１１】
抵抗部材は、発泡形状をした部材からなることを特徴とする請求項１０記載の水微粒化装置。
【請求項１２】
抵抗部材は、繊維を絡ませた部材からなることを特徴とする請求項１０記載の水微粒化装置。
【請求項１３】
抵抗部材は、立体形状編物の部材からなることを特徴とする請求項１０記載の水微粒化装置。
【請求項１４】
抵抗部材を収納する収納ケースを備えていることを特徴とする請求項９から１３のいずれか１項に記載の水微粒化装置。
【請求項１５】
収納ケースは抵抗部材を支持するための複数のボス部を有していることを特徴とする請求項１４記載の水微粒化装置。
【請求項１６】
平板状に形成された抵抗部材が水面と略平行かつ水面より下方で揚水部の下端よりも上方に配されていることを特徴とする請求項５記載の水微粒化装置。
【請求項１７】
請求項１から１６のいずれか１項に記載の水微粒化装置と、送風手段を備え、前記送風手段により前記水微粒化装置に送風して加湿することを特徴とする加湿装置。
【発明の詳細な説明】
【技術分野】
【０００１】
本発明は、微粒化した水滴を生成する水微粒化装置とそれを用いた加湿装置に関するものである。
【背景技術】
【０００２】
従来の構成の水微粒化装置およびそれを用いた加湿装置としては、図１３に示すように、本体１０１と、水を微粒化する水微粒化手段１０２と、加湿装置外部から空気を吸込み水微粒化手段１０２を介して加湿装置外部へと送風する送風手段１０３と、水微粒化手段１０２を駆動する駆動手段１０４と、水を貯水する貯水部１０５を備え、水微粒化手段１０２は、回転によって水を放散する作用を有する回転板１０６と、貯水部１０５から回転板１０６に水を揚水する揚水手段として揚水管１０７を備えており、駆動手段１０４の下方に回転板１０６を配し、回転板１０６の下方に揚水管１０７と貯水部１０５を配しているものがある（例えば、特許文献１参照）。
【０００３】
以下、その作用効果について説明する。
【０００４】
駆動手段１０４を駆動させると、駆動手段１０４と連結した回転板１０６が回転し、回転板１０６と連結した揚水管１０７も回転する。揚水管１０７の下端は貯水部１０５内に貯水された水に水没しており、揚水管１０７の回転により遠心力を受けた水は揚水管１０７内部を上昇し、回転板１０６に揚水される。回転板１０６に達した水は回転板１０６の遠心力を受けてその外周端から遠心方向へ放散、微粒化される。微粒化された水は送風手段１０３により送風される空気と接触、気化し、空気を加湿する。加湿された空気は加湿装置から外部へと放出され、所望の空間の空気を加湿する。
【特許文献１】特開２００２−１１９８４４号公報
【発明の開示】
【発明が解決しようとする課題】
【０００５】
このような従来の加湿装置では、原理的には揚水部の回転数の増加とともに揚水部内の水の持つ遠心力が増加して揚水部内部を上昇する水の量が増加するのだが、揚水部の回転数が上昇すると貯水部に水位低下が生じてしまい、水位低下によって中心部の水位が低下して揚水量が減少してしまうので、結果、回転数を上昇させても加湿量が増加しないという課題があった。
【０００６】
本発明における加湿装置は、上記の課題を解決するものであり、水位低下を抑制する水位低下抑制手段を備えたことにより、回転数を上昇させることで揚水量を増加でき、微粒化できる水の量を増加させた水微粒化装置を提供することを目的としている。また、この微粒化装置を用い加湿能力を向上させた加湿装置を提供することを目的としている。
【課題を解決するための手段】
【０００７】
上記課題を解決するための第１の課題解決手段は、回転力を生じさせる駆動手段と、水を貯留する貯水部を備え、回転により水を微粒化する水微粒化部と、回転により貯水部より揚水する揚水部を備える水微粒化装置であって、前記貯水部において、揚水部の回転によって回転の中心部に生じる水位の低下を抑制するための水位低下抑制手段を備えたものである。
【０００８】
また、第２の課題解決手段は、第１の課題解決手段において、水位低下抑制手段が揚水部の回転により貯水部に生じる水の流れに対する抵抗作用を有するようにしたものである。
【０００９】
また、第３の課題解決手段は、第１の課題解決手段において、水位低下抑制手段に揚水部の回転により生じる回転中心軸から遠心方向に向かう水の流れに対する抵抗作用を有した抵抗部材を備えたものである。
【００１０】
また、第４の課題解決手段は、第１の課題解決手段において、水位低下抑制手段に揚水部の回転により貯水部に生じる回転方向の流れに対して抵抗作用を有した抵抗部材を備えたものである。
【００１１】
また、第５の課題解決手段は、第１の課題解決手段において、水位低下抑制手段に揚水部の回転により貯水部に生じる回転軸方向の流れに対する抵抗作用を有した抵抗部材を備えたものである。
【００１２】
また、第６の課題解決手段は、第３から５のいずれかの課題解決手段において、抵抗部材の少なくとも一部を平板状に形成したものである。
【００１３】
また、第７の課題解決手段は、第３または４の課題解決手段において、水位低下抑制手段が少なくとも１つ以上の抵抗部材を、揚水部の外側に、揚水部を中心として環状に並べて配してなるようにしたものである。
【００１４】
また、第８の課題解決手段は、第３または４の課題解決手段において、水位低下抑制手段が環状に形成した抵抗部材を、揚水部を内包するように配してなるようにしたものである。
【００１５】
また、第９の課題解決手段は、第７または８の課題解決手段において、抵抗部材が網目状のシート部材からなるものである。
【００１６】
また、第１０の課題解決手段は、第７または第８の課題解決手段において、抵抗部材が三次元立体構造を有する部材からなるものである。
【００１７】
また、第１１の課題解決手段は、第１０の課題解決手段において、抵抗部材が発泡形状をした部材からなるものである。
【００１８】
また、第１２の課題解決手段は、第１０の課題解決手段において、抵抗部材が繊維を絡ませた部材からなるものである。
【００１９】
また、第１３の課題解決手段は、第１０の課題解決手段において、抵抗部材が立体形状編物の部材からなるものである。
【００２０】
また、第１４の課題解決手段は、第９から１３の課題解決手段において、抵抗部材を収納する収納ケースを備えたものである。
【００２１】
また、第１５の課題解決手段は、第１４の課題解決手段において、収納ケースに抵抗部材を支持するための複数のボス部を有したものである。
【００２２】
また、第１６の課題解決手段は、第５の課題解決手段において、平板状に形成された抵抗部材を水面と略平行かつ水面より下方で揚水部の下端よりも上方に配したものである。
【００２３】
また、第１７の課題解決手段は、第１から１６のいずれかの課題解決手段において、請求項１から１６のいずれか１項に記載の水微粒化装置と、送風手段を備え、送風手段により水微粒化装置に送風して加湿するものである。
【発明の効果】
【００２４】
本発明によれば、微粒化する水の量を増加させることが可能な水微粒化装置を提供できる。
【００２５】
また、加湿能力をより向上した加湿装置を提供することができる。
【発明を実施するための最良の形態】
【００２６】
本発明の請求項１記載の発明は、回転力を生じさせる駆動手段と、水を貯留する貯水部を備え、回転により水を微粒化する水微粒化部と、回転により貯水部より揚水する揚水部を有する水微粒化装置であって、貯水部において、揚水部の回転によって回転中心部に生じる水位の低下を抑制するための水位低下抑制手段を備えたものである。
【００２７】
揚水部の回転数を高めると、本来ならば揚水部の内側にある水にかかる遠心力が増大し、揚水部の内壁に沿って上昇する水の量が増加するが、ある程度以上の回転数になると、揚水部の外側の水の旋回速度が上昇し、その遠心力により渦が生じ、回転の中心部の水位が低下してしまう。中心部の水位が低下すると揚水部の下部が水没しなくなってしまい、揚水部の内側に水が入りこまなくなり、結果、回転数を上昇させても揚水しなくなってしまうのだが、本発明は水位低下抑制手段を備えたので、この中心部の水位の低下を抑制でき、したがって回転数を上昇させることにより揚水量を増加することができるものである。
【００２８】
これにより、揚水量を増加し微粒化する水の量を増加できる水微粒化装置を提供できるという効果を奏するものである。
【００２９】
本発明の請求項２記載の発明は、請求項１記載の発明において、水位低下抑制手段が揚水部の回転により貯水部に生じる水流に対する抵抗作用を有するものであり、水の流れを多方向に分散させ、渦が発生しにくくできるという作用効果を奏する。
【００３０】
本発明の請求項３記載の発明は、請求項１記載の発明において、水位低下抑制手段が揚水部の回転により生じる回転中心軸から遠心方向に向かう水の流れに対して抵抗作用を有した抵抗部材を備えるものであり、抵抗部材が水に遠心力に対する抗力を与えることによって遠心方向への水の流れを抑え、中心部の水の低下を抑制することができるという効果を奏する。
【００３１】
本発明の請求項４記載の発明は、請求項１記載の発明において、水位低下抑制手段が揚水部の回転により貯水部に生じる回転方向の流れに対して抵抗作用を有した抵抗部材を備えるものであり、水の回転方向の流速を低下させて遠心力を低下させ、渦が生じにくくなるという効果を奏する。
【００３２】
本発明の請求項５記載の発明は、請求項１記載の発明において、水位低下抑制手段が揚水部の回転により貯水部に生じる回転軸方向の流れに対して抵抗作用を有した抵抗部材を備えるものであり、回転軸方向の水の流れを抑制して相対的に水位が変動しにくくすることにより、中心部の水位の低下を抑えるという効果を奏する。
【００３３】
また、請求項６記載の発明は、請求項３から５のいずれか１項に記載の発明において、抵抗部材の少なくとも一部を平板状に形成したものであり、平板の幅広面を水の流れに対向させ、より多くの水を受け止めることができるという効果を奏するものである。
【００３４】
また、請求項７記載の発明は、請求項３または４に記載の発明において、水位低下抑制手段が少なくとも１つ以上の抵抗部材を揚水部の外側に揚水部を中心として環状に並べて配してなるものであり、回転方向の流れに沿って抵抗作用を働かせるので、全体としてより強い抵抗作用を与えることができるという効果を奏する。
【００３５】
また、請求項８記載の発明は、請求項３または４に記載の発明において、水位低下抑制手段が環状に形成した抵抗部材を揚水部を内包するように配してなるものであり、水の流れに対して連続的に抵抗作用を働かせることができるという効果を奏する。
【００３６】
また、請求項９記載の発明は、請求項７または８に記載の発明において、抵抗部材が網目状のシート部材からなるものであり、網目状にすることによって抵抗部材に衝突して勢いが弱められた水が逃げる逃げ道が形成されるので、衝突した水が上方に跳ね上がって発生する騒音を抑えることができ、また、目的の形状に加工しやすいという効果を奏する。
【００３７】
また、請求項１０記載の発明は、請求項７または８に記載の発明において、抵抗部材が三次元立体構造を有する部材からなるものであり、単位体積あたりの表面積を大きくし、水流が衝突する面積を増加させてより抵抗作用を強くすることができるという効果を奏する。
【００３８】
また、請求項１１記載の発明は、請求項１０記載の発明において、抵抗部材が発泡形状をした部材からなるものであり、柔軟で所望の形状に変形させやすいという効果を奏する。
【００３９】
また、請求項１２記載の発明は、請求項１０記載の発明において、抵抗部材が繊維を絡ませた部材からなるものであり、丈夫で破損しにくくできるという効果を奏する。
【００４０】
また、請求項１３記載の発明は、請求項１０記載の発明において、抵抗部材が立体形状編物の部材からなるものであり、編物構造が丈夫であるために形状を維持させやすいという効果を奏する。
【００４１】
また、請求項１４記載の発明は、請求項９から１３のいずれか１項に記載の発明において、抵抗部材を収納する収納ケースを備えたものであり、流れる水の衝撃による抵抗部材の破損や変形、脱落等を予防することができるという効果を奏する。
【００４２】
また、請求項１５記載の発明は、請求項１４記載の発明において、収納ケースに抵抗部材を支持するための複数のボス部を有したものであり、このボス部によって抵抗部材の支持を補助し、より強く固定することができるという効果を奏する。
【００４３】
また、請求項１６記載の発明は、請求項５記載の発明において、水面より下方かつ揚水部の下端よりも上方に配されているものであり、揚水部の回転によって生じる渦は抵抗部材によってある程度遮られ、抵抗部材よりも下方には入りにくくなるので、水位の低下を抑制することができるという効果を奏する。
【００４４】
また、請求項１７記載の発明は、請求項１から１６のいずれか１項に記載の水微粒化装置と、送風手段を備え、送風手段により水微粒化装置に送風して加湿するものであり、この水微粒化装置を用いることで微粒化する水の量が多くなり、気化する水分量が多くなるために加湿量が増加することになる。
【００４５】
したがって、加湿能力をより向上した加湿装置を提供することができるという効果を奏する。
【００４６】
以下、本発明の実施の形態について図面を参照しながら説明する。
【００４７】
（実施の形態１）
図１は本発明の実施の形態１における水微粒化装置を用いた加湿装置の本体１の概略断面図である。
【００４８】
図１に示すように、本体１は、回転動力を生ずる駆動手段２と、下部に貯水部３を備えたタンクケーシング４と、タンクケーシング４の上部を覆うふた５と、タンクケーシング４の下方にあり駆動手段２を内包するモータケース６と、駆動手段２と連結した回転部材７と、送風手段８と、回転により水を放散および衝突させて水を微粒化するための水微粒化部として作用する水微粒化板９と、揚水部として作用する中空で逆円錐台形状の揚水管１０と、送風手段８、水微粒化板９、揚水管１０および回転部材７とそれぞれ連結する受動部１１によって構成され、タンクケーシング４の下部には、揚水管１０の回転によって回転の中心部に生じる水位の低下を抑制するための水位低下抑制手段１２が備えられている。また、ふた５には、空気を本体１に吸込むための吸込口１３および本体１から空気を吹出すための吹出口１４が備えられ、太矢印１５に示すような風路が形成されている。
【００４９】
揚水管１０の下端は貯水部３に貯留された水に水没しており、駆動手段２を駆動させると受動部１１と連結した揚水管１０が回転し、貯水部３の水が揚水される。揚水管１０によって揚水された水は、受動部１１に設けられたスリット穴１６から遠心方向に放散され、受動部１１と連結された水微粒化板９に衝突し、微粒化される。微粒化された水は、回転する送風手段８の作用により吸込口１３から本体１内に吸込まれた空気と混合し、この空気は加湿される。加湿された空気は吹出口１４から本体１外部へ吹出される。このような作用によりこの加湿装置は対象の空間を加湿することができる。
【００５０】
図２は水位低下抑制手段１２を備えていない場合における、揚水管１０回転時の回転中心部付近の水位の変化を示した概略断面図である。図２のように、揚水管１０が回転すると貯水部３の水が旋回し、回転数が上昇するにつれて回転の中心部に渦が生じ、中心部の水位が低下し始める。中心部の水位が低下し、揚水管１０の下端１７よりも低くなると、揚水管１０の内側１８に水が入りこまなくなるので、揚水しなくなってしまう。
【００５１】
それに対して、水位低下抑制手段１２を備えた場合を図３〜５を参照しながら説明する。
【００５２】
図３（ａ）は水位低下抑制手段１２の斜視図、図３（ｂ）は水位低下抑制手段１２と揚水管１０の位置関係を示す斜視図、図４は上方から見た水位低下抑制手段１２の配置およびその作用を模式的に示した概略図、図５は揚水管１０回転時の回転中心部付近の水位の変化を示した概略断面図である。
【００５３】
図３（ａ）に示すように、水位低下抑制手段１２は、円板状の土台部１９から複数の平板状の抵抗部材２０が突出し、土台部１９の中央部分を中心として環状に並べられている。揚水管１０は、図３（ｂ）のように環状に並べられた抵抗部材２０の内側にはめ込まれるようにして配置されている。
【００５４】
図４に示すように、揚水管１０の回転に伴い、貯水部３の水は白矢印２１に示すように揚水管１０を中心として旋回するが、旋回する水はこの抵抗部材２０に衝突して回転方向の速度成分を失い、黒矢印２２に示すように回転の中心方向もしくは遠心方向に分散する。したがって、揚水管１０の回転数を上昇させても回転の中心部に渦が発生しにくくなり、回転の中心部の水位が低下しにくくなるので、図５に示すように、常に揚水管１０の下端１７が水没した状態を保つことができ、揚水管１０の揚水量をその回転数の上昇に応じて増加させることができる。
【００５５】
したがって、揚水量を増加して微粒化する水の量を増加させることが可能な水微粒化装置およびそれを用いることで加湿能力を向上できる加湿装置を提供できるという効果を奏する。
【００５６】
（実施の形態２）
次に、水位低下抑制手段１２の他の形態とした場合について、図６から１０を参照しながら説明する。なお、水位低下抑制手段１２以外の構成については上記した実施の形態１と同様であり、その説明を省略する。
【００５７】
図６（ａ）はロール状に丸められた網目状のシートからなるものを用いた抵抗部材２３の斜視図、図６（ｂ）は三次元立体構造を有し、環状に形成された抵抗部材２８の斜視図、図７（ａ）は網目状のシートからなる抵抗部材２３を収納する収納ケース２６の斜視図、図７（ｂ）は網目状のシートからなる抵抗部材２３を収納した状態を示す斜視図、図８（ａ）は環状に形成された抵抗部材２８を収納する収納ケース３１の斜視図、図８（ｂ）は環状に形成された抵抗部材２８を収納した状態を示す斜視図、図９はこの水位低下抑制手段１２と揚水管１０との位置関係を模式的に示した斜視図、図１０は本実施の形態において上方から見たときにその作用を模式的に示した概略断面図である。
【００５８】
水位低下抑制手段１２は、図６（ａ）に示すように、ロール状に丸められた網目状のシートからなる抵抗部材２３が、図７（ａ）に示すような円板状の土台部２４から抵抗部材２３を保持するための複数のボス部２５が突出した収納ケース２６に、図７（ｂ）のように収納されるという構成となっている。そして、揚水管１０は、図９に示すように、この水位低下抑制手段１２に内包されるように配置されている。
【００５９】
図１０に示すように、揚水管１０の回転によって白矢印２７に示すように旋回する水は、この抵抗部材２３の構造を形成している部分に多段階で連続的に衝突し、その流れの速度が弱められて渦が生じにくくなるので、常に揚水管１０の下端１７が水面下にある状態を保つことができ、揚水管１０の揚水作用をその回転数の上昇に応じて増加させることができる。
【００６０】
したがって、揚水量を増加して微粒化する水の量を増加させることが可能な水微粒化装置およびそれを用いることで加湿能力を向上できる加湿装置を提供できるという効果を奏する。
【００６１】
網目状のシートからなる抵抗部材２３を用いた場合には、網目状にすることによって抵抗部材に衝突して勢いが弱められた水が逃げる逃げ道が形成され、水は分散して流れるため、衝突した水が水面より上方に跳ね上がり着水する時に生じる不快な騒音を抑制できるという効果もある。
【００６２】
一方、三次元立体構造を有した抵抗部材ものを用いた場合には、図６（ｂ）に示すような環状に形成された抵抗部材２８が、図８（ａ）に示すような抵抗部材２８を保持するための、円板状の土台部２９から複数のボス部３０が突出した収納ケース３１に、図８（ｂ）のように収納されるという構成となっている。これを用いた場合には、抵抗部材２８の単位体積あたりの表面積が大きいのでその抵抗作用が強められ、また、空隙部分を有しておりこの空隙部分に水が分散して流れるので、網目状のシートからなるものを用いた場合と同様に、衝突した水が水面より上方に跳ね上がり着水する時に生じる不快な騒音を抑制できるという効果もある。
【００６３】
ここで、三次元立体構造を有する抵抗部材として、発泡ウレタンなどの発泡樹脂、発泡金属などの発泡形状をした部材からなるものを用いると、柔軟で所望の形状に変形させやすい、安価などの効果がある。
【００６４】
なお、三次元立体構造を有する抵抗部材として、スチールウールなど繊維を絡ませた部材からなるものを用いると、丈夫で破損しにくくできるといった効果がある。
【００６５】
なお、三次元立体構造を有する抵抗部材として、表面部、連結部、裏面部からなる立体形状編物の部材からなるものを用いると、編物構造が丈夫であるために形状を維持させやすいという効果がある。
【００６６】
（実施の形態３）
次に、水位低下抑制手段のさらなる他の形態とした場合について、図１１および１２を用いて説明する。なお、水位低下抑制手段１２以外の構成については上記した実施の形態１と同様であり、その説明を省略する。
【００６７】
図１１（ａ）は本実施の形態における水位低下抑制手段の斜視図であり、図１１（ｂ）は水位低下抑制手段１２と揚水管１０との位置関係を模式的に示す斜視図、図１２はその作用を示す概略断面図である。
【００６８】
図１１（ａ）に示すように、水位低下抑制手段１２は中央に穴が開口した円板状の抵抗部材３２と、抵抗部材３２と連結リブ３３で連結した中央に穴が開口した円板状の土台部３４からなり、図１１（ｂ）に示すように、この抵抗部材３２は貯水部３の水位よりも下方で、かつ揚水管１０の下端よりも上方に位置するように配置されている。
【００６９】
図１２に示すように、揚水管１０が回転すると水が旋回し、回転数の増大すると渦が生じて中央部の水位が低下するが、水位低下抑制手段１２の抵抗部材３２が水の流れに対して邪魔板となり、渦は気泡を伴いながら主にこの抵抗部材３２よりも上方で生じ、水位の低下は抵抗部材３２の位置で留まる。揚水管１０の下端１７は抵抗部材３２よりも下方にあるため、これによって常に揚水管１０の下端１７が水面下にある状態を保つことができ、揚水管１０の揚水作用をその回転数の上昇に応じて増加させることができる。
【００７０】
したがって、揚水量を増加して微粒化する水の量を増加させることが可能な水微粒化装置およびそれを用いることで加湿能力を向上できる加湿装置を提供できるという効果を奏する。
【００７１】
以上説明した内容は、発明を実施するための一形態についてのみ説明したものであり、本発明は上記した実施の形態に限定されるものではない。
【産業上の利用可能性】
【００７２】
以上のように本発明にかかる水微粒化装置およびそれを用いた加湿装置は、回転数を上昇させて微粒化できる水の量を増やし、加湿能力を増加させることができる加湿装置を提供するものであり、実施の形態１〜３に示した加湿装置のみならず、加湿空気清浄装置、浴室サウナ装置、マイナスイオンによるリラクゼーション機器、美顔器、噴霧器、洗浄器などにも適用することができる。
【図面の簡単な説明】
【００７３】
【図１】本発明の実施の形態１における水微粒化装置を用いた加湿装置の概略断面図
【図２】同実施の形態における水位低下抑制手段を備えていない場合の水位変化を示す概略断面図
【図３】（ａ）同実施の形態における水位低下抑制手段の斜視図、（ｂ）同実施の形態における水位低下抑制手段と揚水管の位置関係を示す斜視図
【図４】上方から見た水位低下抑制手段の配置およびその作用を模式的に示した概略図
【図５】同実施の形態における揚水管回転時の回転中心部付近の水位変化を示す概略断面図
【図６】（ａ）実施の形態２におけるロール状に丸められた網目状のシートからなるものを用いた抵抗部材の斜視図、（ｂ）実施の形態２における三次元立体構造を有し環状に形成された抵抗部材の斜視図
【図７】（ａ）同実施の形態における網目状のシートからなる抵抗部材を収納する収納ケースの斜視図、（ｂ）同実施の形態における網目状のシートからなる抵抗部材を収納した状態を示す斜視図
【図８】（ａ）同実施の形態における環状に形成された抵抗部材を収納する収納ケースの斜視図、（ｂ）同実施の形態における環状に形成された抵抗部材を収納した状態を示す斜視図
【図９】同実施の形態における水位低下抑制手段と揚水管との位置関係を模式的に示した斜視図
【図１０】同実施の形態における上方から見たときにその作用を模式的に示した概略断面図
【図１１】（ａ）実施の形態３における水位低下抑制手段の斜視図、（ｂ）実施の形態３における水位低下抑制手段と揚水管との位置関係を模式的に示す斜視図
【図１２】同実施の形態における水位低下抑制手段の作用を示す概略断面図
【図１３】従来の水微粒化装置とそれを用いた加湿装置の概略断面図
【符号の説明】
【００７４】
２    駆動手段
３    貯水部
８    送風手段
９    水微粒化板
１０  揚水管
１２  水位低下抑制手段
２０、２３、２８、３２  抵抗部材
２５  ボス部
２６  収納ケース
【図１】
2009264641.tif 000003
【図２】
2009264641.tif 000004
【図３】
2009264641.tif 000005
【図４】
2009264641.tif 000006
【図５】
2009264641.tif 000007
【図６】
2009264641.tif 000008
【図７】
2009264641.tif 000009
【図８】
2009264641.tif 000010
【図９】
2009264641.tif 000011
【図１０】
2009264641.tif 000012
【図１１】
2009264641.tif 000013
【図１２】
2009264641.tif 000014
【図１３】
2009264641.tif 000015